【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
１つ以上の微粒子を含む流体を運ぶための流体路と、
該流体路に沿って配置される継手であって、該継手近傍の該流体路は、実質的に力の場と整合される、継手と、
を備える、器具。
【請求項２】
前記継手は、ルアーフィッティングを含む、請求項１に記載の器具。
【請求項３】
前記流体路は、放射性微粒子源を含む、請求項１に記載の器具。
【請求項４】
前記流体路は、カテーテルを含む、請求項３に記載の器具。
【請求項５】
前記器具は、癌治療法に含まれる、請求項１に記載の器具。
【請求項６】
前記１つ以上の微粒子は、約１．５超の比重を有する、請求項１に記載の器具。
【請求項７】
前記継手は、カテーテルに含まれる、請求項１に記載の器具。
【請求項８】
前記力の場は方向を有し、前記継手近傍の前記流体路は、前記力の場に対して約プラスマイナス３５度に保持される、請求項７に記載の器具。
【請求項９】
前記力の場は方向を有し、前記継手近傍の前記流体路は、前記力の場に対して約プラスマイナス４５度に保持される、請求項７に記載の器具。
【請求項１０】
１つ以上の微粒子を含む流体を運ぶための流体路と、
該流体路内に配置される継手と、
該継手近傍に位置する停滞領域を通過して該流体を動かすために、該流体路内に配置されるノズルと、
を備える、器具。
【請求項１１】
前記ノズルは、サイドポートを含む、請求項１０に記載の器具。
【請求項１２】
前記ノズルは、入力ポート断面積を有する入力ポートと、出力ポート断面積を有する出力ポートとを含み、該入力ポート断面積は、該出力ポート断面積よりも大きい、請求項１１に記載の器具。
【請求項１３】
前記ノズルは、前記入力ポートから前記出力ポートへの、テーパを有するノズル流体路を含む、請求項１２に記載の器具。
【請求項１４】
前記テーパは、約４５度未満の傾斜を有する、請求項１０に記載の器具。
【請求項１５】
前記ノズルは、前記継手と実質的に中心を一致させ、かつ逆流を実質的に防止するためにシールを形成するようにサイズ設定された、フランジフィッティングを含む、請求項１０に記載の器具。
【請求項１６】
前記継手は、前記シールを含む、請求項１５に記載の器具。
【請求項１７】
前記シールは、ゴム状シールを含む、請求項１５に記載の器具。
【請求項１８】
前記シールは、平面シールを形成するフランジを含む、請求項１５に記載の器具。
【請求項１９】
前記継手は、テーパフィッティングを含む、請求項１０に記載の器具。
【請求項２０】
前記器具は、癌治療法に含まれる、請求項１０に記載の器具。
【請求項２１】
１つ以上の微粒子を含む流体を、継手を含む流体路に導入するステップと、
該継手の近傍の該流体路を、力の場と整合させるステップと、
を包含する、方法。
【請求項２２】
前記継手の近傍の前記流体路を前記力の場と整合させるステップは、該継手の近傍の該流体路を重力場と整合させるステップを包含する、請求項２１に記載の方法。
【請求項２３】
１つ以上の微粒子を含む前記流体を、前記継手を含む前記流体路に導入するステップは、放射性微粒子スラリーを圧力下で前記流体路に導入するステップを含む、請求項２２に記載の方法。
【請求項２４】
約２０ミリリットルと約８０ミリリットルとの間の体積を有するフラッシング流体を導入するステップをさらに包含する、請求項２１に記載の方法。
【請求項２５】
近位端と遠位端とを含む継手と、
該継手の該近位端から該継手の該遠位端へと、高密度微粒子源の少なくとも約９０％を送達するための、該継手を含む低流速の流体路と、
を備える、器具。
【請求項２６】
前記継手は、カテーテルを備える、請求項２５に記載の器具。
【請求項２７】
前記低流速は、約０．０５ミリリットル毎秒と約０．９３ミリリットル毎秒との間である、請求項２６に記載の器具。
【請求項２８】
前記高密度微粒子源は、高い比活性を有する１つ以上の高密度微粒子を含む、請求項２５に記載の器具。
【請求項２９】
高い比活性を有する高密度微粒子源を哺乳類に連結する手段と、
高い比活性を有する該高密度微粒子を、該源で約５ｐｓｉｇと約３０ｐｓｉｇとの間の圧力で、該哺乳類に送達する手段と、
を含む、システム。
【請求項３０】
高い比活性を有する前記高密度微粒子源を前記哺乳類に連結する手段は、該源と該哺乳類との間にカテーテルを接続する手段を含む、請求項２９に記載のシステム。
【請求項３１】
高い比活性を有する前記高密度微粒子を、前記源で約５ｐｓｉｇと約３０ｐｓｉｇとの間の前記圧力で、前記哺乳類に送達する手段は、該源で利用可能な該高密度微粒子の約９０％超を、該哺乳類に送達する手段を含む、請求項３０に記載のシステム。
【請求項３２】
１つ以上の微粒子を対象に送達する手段と、
画像データを形成するために、該１つ以上の微粒子を撮像する手段と
を含む、システム。
【請求項３３】
前記１つ以上の微粒子を前記対象に送達する手段は、
該１つ以上の微粒子を微小血管床に送達する手段を含む、請求項３２に記載のシステム。
【請求項３４】
前記１つ以上の微粒子を前記対象に送達する手段は、
１つ以上の放射性微粒子を該対象に送達する手段を含む、請求項３２に記載のシステム。
【請求項３５】
前記１つ以上の微粒子を前記微小血管床に送達する手段は、
該１つ以上の微粒子をヒト肝臓内の該微小血管床に送達する手段を含む、請求項３３に記載のシステム。
【請求項３６】
前記１つ以上の微粒子を前記微小血管床に送達する手段は、
１つ以上の放射性微粒子をヒト肝臓内の該微小血管床に送達する手段を含む、請求項３３に記載のシステム。
【請求項３７】
１つ以上の略球状微粒子を対象に移送する手段と、
画像データを形成するために、該１つ以上の略球状微粒子を撮像する手段と、
異常状態を識別するために、該画像データを分析する手段と
を含む、システム。
【請求項３８】
前記１つ以上の略球状微粒子を対象に移送する手段は、
１つ以上の放射性微粒子を該対象に移送する手段を含む、請求項３７に記載のシステム。
【請求項３９】
前記異常状態を識別するために前記画像データを分析する手段は、
動物の病状を識別するために、該画像データを既知の疾病を識別するデータと比較する手段を含む、請求項３７に記載のシステム。
【請求項４０】
画像データを形成するために前記１つ以上の略球状微粒子を撮像する手段は、
磁気共鳴画像診断装置を用いて撮像する手段を含む、請求項３７に記載のシステム。
【手続補正２】
【補正対象書類名】明細書
【補正対象項目名】００１２
【補正方法】変更
【補正の内容】
【００１２】
方法は、１つ以上の略球状微粒子を対象に移送するステップと、画像データを形成するために１つ以上の略球状微粒子を撮像するステップと、異常状態を識別するために画像データを分析するステップと、を含む。
例えば、本発明は以下の項目を提供する。
（項目１）
１つ以上の微粒子を含む流体を運ぶための流体路と、
該流体路に沿って配置される継手であって、該継手近傍の該流体路は、実質的に力の場と整合される、継手と、
を備える、器具。
（項目２）
上記継手は、ルアーフィッティングを含む、項目１に記載の器具。
（項目３）
上記流体路は、放射性微粒子源を含む、項目１に記載の器具。
（項目４）
上記流体路は、カテーテルを含む、項目３に記載の器具。
（項目５）
上記器具は、癌治療法に含まれる、項目１に記載の器具。
（項目６）
上記１つ以上の微粒子は、約１．５超の比重を有する、項目１に記載の器具。
（項目７）
上記継手は、カテーテルに含まれる、項目１に記載の器具。
（項目８）
上記力の場は方向を有し、上記継手近傍の上記流体路は、上記力の場に対して約プラスマイナス３５度に保持される、項目７に記載の器具。
（項目９）
上記力の場は方向を有し、上記継手近傍の上記流体路は、上記力の場に対して約プラスマイナス４５度に保持される、項目７に記載の器具。
（項目１０）
１つ以上の微粒子を含む流体を運ぶための流体路と、
該流体路内に配置される継手と、
該継手近傍に位置する停滞領域を通過して該流体を動かすために、該流体路内に配置されるノズルと、
を備える、器具。
（項目１１）
上記ノズルは、サイドポートを含む、項目１０に記載の器具。
（項目１２）
上記ノズルは、入力ポート断面積を有する入力ポートと、出力ポート断面積を有する出力ポートとを含み、該入力ポート断面積は、該出力ポート断面積よりも大きい、項目１１に記載の器具。
（項目１３）
上記ノズルは、上記入力ポートから上記出力ポートへの、テーパを有するノズル流体路を含む、項目１２に記載の器具。
（項目１４）
上記テーパは、約４５度未満の傾斜を有する、項目１０に記載の器具。
（項目１５）
上記ノズルは、上記継手と実質的に中心を一致させ、かつ逆流を実質的に防止するためにシールを形成するようにサイズ設定された、フランジフィッティングを含む、項目１０に記載の器具。
（項目１６）
上記継手は、上記シールを含む、項目１５に記載の器具。
（項目１７）
上記シールは、ゴム状シールを含む、項目１５に記載の器具。
（項目１８）
上記シールは、平面シールを形成するフランジを含む、項目１５に記載の器具。
（項目１９）
上記継手は、テーパフィッティングを含む、項目１０に記載の器具。
（項目２０）
上記器具は、癌治療法に含まれる、項目１０に記載の器具。
（項目２１）
１つ以上の微粒子を含む流体を、継手を含む流体路に導入するステップと、
該継手の近傍の該流体路を、力の場と整合させるステップと、
を包含する、方法。
（項目２２）
上記継手の近傍の上記流体路を上記力の場と整合させるステップは、該継手の近傍の該流体路を重力場と整合させるステップを包含する、項目２１に記載の方法。
（項目２３）
癌患者を上記流体路に導入するステップをさらに包含する、項目２２に記載の方法。
（項目２４）
１つ以上の微粒子を含む上記流体を、上記継手を含む上記流体路に導入するステップは、放射性微粒子スラリーを圧力下で上記流体路に導入するステップを含む、項目２３に記載の方法。
（項目２５）
約２０ミリリットルと約８０ミリリットルとの間の体積を有するフラッシング流体を導入するステップをさらに包含する、項目２１に記載の方法。
（項目２６）
近位端と遠位端とを含む継手と、
該継手の該近位端から該継手の該遠位端へと、高密度微粒子源の少なくとも約９０％を送達するための、該継手を含む低流速の流体路と、
を備える、器具。
（項目２７）
上記継手は、カテーテルを備える、項目２６に記載の器具。
（項目２８）
上記低流速は、約０．０５ミリリットル毎秒と約０．９３ミリリットル毎秒との間である、項目２７に記載の器具。
（項目２９）
上記高密度微粒子源は、高い比活性を有する１つ以上の高密度微粒子を含む、項目２６に記載の器具。
（項目３０）
高い比活性を有する高密度微粒子源を哺乳類に連結するステップと、
高い比活性を有する該高密度微粒子を、該源で約５ｐｓｉｇと約３０ｐｓｉｇとの間の圧力で、該哺乳類に送達するステップと、
を包含する、方法。
（項目３１）
高い比活性を有する上記高密度微粒子源を上記哺乳類に連結するステップは、該源と該哺乳類との間にカテーテルを接続するステップを包含する、項目３０に記載の方法。
（項目３２）
高い比活性を有する上記高密度微粒子を、上記源で約５ｐｓｉｇと約３０ｐｓｉｇとの間の上記圧力で、上記哺乳類に送達するステップは、該源で利用可能な該高密度微粒子の約９０％超を、該哺乳類に送達するステップを包含する、項目３１に記載の方法。
（項目３３）
１つ以上の微粒子を対象に送達するステップと、
画像データを形成するために、該１つ以上の微粒子を撮像するステップと、
を包含する、方法。
（項目３４）
上記１つ以上の微粒子を上記対象に送達するステップは、
該１つ以上の微粒子を微小血管床に送達するステップを包含する、項目３３に記載の方法。
（項目３５）
上記１つ以上の微粒子を上記対象に送達するステップは、
１つ以上の放射性微粒子を該対象に送達するステップを包含する、項目３３に記載の方法。
（項目３６）
上記１つ以上の微粒子を上記微小血管床に送達するステップは、
該１つ以上の微粒子をヒト肝臓内の該微小血管床に送達するステップを包含する、項目３４に記載の方法。
（項目３７）
上記１つ以上の微粒子を上記微小血管床に送達するステップは、
１つ以上の放射性微粒子をヒト肝臓内の該微小血管床に送達するステップを包含する、項目３４に記載の方法。
（項目３８）
１つ以上の略球状微粒子を対象に移送するステップと、
画像データを形成するために、該１つ以上の略球状微粒子を撮像するステップと、
異常状態を識別するために、該画像データを分析するステップと、
を包含する、方法。
（項目３９）
上記１つ以上の略球状微粒子を対象に移送するステップは、
１つ以上の放射性微粒子を該対象に移送するステップを包含する、項目３８に記載の方法。
（項目４０）
上記異常状態を識別するために上記画像データを分析するステップは、
動物の病状を識別するために、該画像データを既知の疾病を識別するデータと比較するステップを包含する、項目３８に記載の方法。
（項目４１）
画像データを形成するために上記１つ以上の略球状微粒子を撮像するステップは、
磁気共鳴画像診断装置を用いて撮像するステップを包含する、項目３８に記載の方法。